(57)【要約】【課題】簡単な構成でありながら、作業員が立ち姿のまま作業の大半を行う事が可能で、当該カーペットタイルを破壊することなく、少ない力、少ないエネルギーで当該床面から剥がし取り、剥がし工事を効率的にするカーペットタイル剥離装置及びその剥離方法を提供する。【解決手段】挺子の支点となる回転可能な回転体と、当該回転体に固定された当該力一ペットタイルの端部を把持する把持部と、当該把持部に取り付けられた挺子の作用を行う操作柄部とから構成されるカーペットタイル剥離装置。【選択図】図１
2013068022.tif 000002
【特許請求の範囲】
【請求項１】
カーペットタイル上に周縁部が接触し、カーペットタイ上を旋回移動する回転体と、当該回転体の周縁部とカーペットタイルとの接触点を支点として当該回転体を旋回移動させる操作柄部と、当該回転体の周縁部に近接して設けられたカーペットタイルの角縁部を把持する把持部とを有するカーペットタイル剥がし装置。
【請求項２】
当該操作柄部は、当該回転体を予め定められた距離を旋回移動するに十分な位置に配置されている事を特徴とする請求項１に記載のカーペットタイル剥がし装置。
【請求項３】
カーペットタイルの一つの角端部と、当該カーペットタイルに於ける当該角端部に対向する位置にある他の角端部とを結ぶ対角線に沿って当該カーペットタイル上を旋回移動する回転体と、当該回転体の周縁部の一部に固定的に配置されており、当該回転体が、当該カーペットタイルの一つの角端部に近接して配置された際に、当該カーペットタイルの当該一つの角端部を把持する様に構成されたカーペットタイル角端部把持部と、当該回転体を当該カーペットタイルの当該対角線に沿って旋回移動させる為の操作柄部とを有している事を特徴とする請求項１又は２に記載のカーペットタイル剥がし装置。
【請求項４】
当該操作柄部の操作が、当該把持部の当該カーペットタイルの角端部把持操作と連動されている事を特徴とする請求項１乃至３の何れかに記載のカーペットタイル剥がし装置。
【請求項５】
当該回転体は、その外周縁部が円形である事を特徴とする請求項１乃至４の何れかに記載のカーペットタイル剥がし装置。
【請求項６】
当該回転体は、その外周縁部の一部が湾曲部状に形成され、全体としてＪ字型を形成している事を特徴とする請求項１乃至４の何れかに記載のカーペットタイル剥がし装置。
【請求項７】
当該回転体は、旋回軸と直交する方向に所定の長さの厚み或いは幅を有している事を特徴とする請求項１乃至６の何れかに記載のカーペットタイル剥がし装置。
【請求項８】
当該把持部は、一対の開閉自在のクランプ部で構成されており、一方のクランプ部には、カーペットタイルの角端部を把持した際に、当該カーペットタイルの角端部との間の摩擦係数が大きくなる部材が設けられている事を特徴とする請求項１乃至７の何れかに記載のカーペットタイル剥がし装置。
【請求項９】
当該把持部は、一対の開閉自在のクランプ部で構成されており、他方のクランプ部には、カーペットタイルの角端部と床材との間に挿入され、当該カーペットタイルと当該床材の間に存在する接着材を破壊する為の接着材破壊手段が設けられている事を特徴とする請求項１乃至８の何れかに記載のカーペットタイル剥がし装置。
【請求項１０】
当該接着材破壊手段は、瞬間的押圧力、継続的な機械的振動、継続的な超音波振動、加熱等から選択された一つ或いは複数の操作が適用される様に構成されている特徴とする請求項９に記載のカーペットタイル剥がし装置。
【請求項１１】
カーペットタイルを床材から剥離するに際し、各カーペットタイルの一つの角端部を当該床材から、部分的に剥離させ、当該剥離された当該カーペットタイルの一つの角端部を適宜の把持手段により把持したまま、当該カーペットタイルに於ける当該角端部に対向する位置にある他の角端部とを結ぶ対角線に沿って当該把持手段を移動させる事を特徴とするカーペットタイル剥がし方法。
【発明の詳細な説明】
【技術分野】
【０００１】
本発明は、カーペットタイル剥がし装置及びカーペットタイル剥がし方法に関するものであり、特に詳しくは、カーペットタイルの剥がし作業を補助する為の工具に関するものである。
【背景技術】
【０００２】
従来から、屋内或いは室内の床面には、保温、断熱、吸音、床面の汚れ防止あるいは美的感覚付与等の為に、或いはクッション性を付与する為に、カーペットタイルを配置し、軽微な接着力を持った接着剤を介して、当該床面の全面にずれが不可能となる様に密に配置され、当該床面に接合固定されている。
【０００３】
処で、当該力一ペットタイルは使用中に、磨り減ったり、汚れたり、変色したり、損傷したり、へたったりすることが多く、従って、当該力一ペットタイルの外観形状の変化や悪化、劣化と言う結果をきたす事が多く、その為、長期間使用した後に新しいカーペットタイルと全面的に交換する事は頻繁に行なわれており、更には、当該屋内或いは室内のアレンジを変更する場合とか、当該屋内或いは室内の所有者若しくはテナントが変わった場合には、通常、床面のカーペットタイルは、例え、未だ使用に耐える状態であったとしても、新しいカーペットタイルと交換する事が常識的となっている"
【０００４】
然しながら、既存のカーペットタイルを床面から取り外す作業は極めて重労働である。即ち、当該カーペットタイルを床面から取り外す場合には、作業者がしゃがんだまたは膝をついた状態で、接着剤で固定されている当該力一ペットタイルを一枚一枚両手で摘んで床面から引き剥がすが、当該按着剤の介在によって、接着剤の接着力を趨える力を必要とする。
【０００５】
当該接着剤の接着力は軽微なものを採用している筈であるが、既存のカーペットタイルを床面の状態、既存のカーペットタイルを施工してからの使用年数、使用頻度等によって当該接着剤の接着力は著しく異なっている。
【０００６】
この為、既存のカーペットタイルを床面から取り外す作業を補助する道具は各種提案または商品化されているが、ケレン棒、ペッカー等はいずれも既存のカーペットタイルと床面境界面の接着剤層に金具をこじ入れて剥がし作業を容易にしよぅとするものである。この方法は硬化している硬化形接着剤若しくは既存床村を破壊するには効果的であるが、カーペットタイルを再利用するには適切な方法ではない。又、カーペットタイルの接着剤層は固くなっているとは言え、餅状に粘っている状態であるから、ピールアップ力を有効に働かせる方法の方が効果的であり、作業員の能率も向上し、疲労度も少ない。
尚、従来に於けるカーペット或いはカーペットタイルを床材から剥離する方法としては、例えば、特開２００２−００４５６８号公報（特許文献１）、特開平１１−９１５６６号公報（特許文献２）、特開平５−２４８０９９号公報（特許文献３）或いは、特開平５−２０２６２２号公報（特許文献４）等が知られているが、何れも、大型の移動装置を使用して、カーペットと床材の間に刃状体を挿入し、当該刃状体には積極的に前後方向の振動を与えて強制的にカーペットと床材の間の接着材を破壊させて、当該カーペットを剥離するものであって、剥離に要する時間及びコスト並びに消費エネルギーは膨大なものとなり、更には、騒音の発生と言う環境破壊の問題も同時に発生するので、効率的、経済的な剥離作業を実行する事が出来ないという問題が有った。
【０００７】
更に、従来のカーペット剥離作業に於いては、カーペットの直線状の縁部に対して、直角の方向（図３に示す矢印Ａ或いは矢印Ｂの方向に当該刃状体を挿入してカーペットを剥離しようと試みていた。
然しながら、係る従来の方法では、カーペットと床材の間に存在する接着材の接着力が大きな負荷として当該刃状体に係るため、当該刃状体を駆動させるのに、膨大なエネルギーの消費を余儀なくされ、剥がし工事中電源のブレーカーが落ち等の問題があるのが現状である。
特にテナントが営業中で、ＰＣ等の突然の電源切断は、操作中のＤＡＴＡ喪失等取り返しの付かない事故に発展する。
【０００８】
又、本願の発明者等は、先にマジックテープ（登録商標）のフック部を利用したカーペットタイル剥離技術を特願２０１０-２２２８５１号「カーペットタイル剥取り収納装置」（特許文献５）として特出願したが、マジックテープ（登録商標）のフック部を単に利用する程度では、カーペットタイルを床材から剥がす事が出来ないほど当該カーペットタイルが床面に硬く接着しているケースもあるので、その実施には、未だ解決すべき課題が残っている。
【先行技術文献】
【特許文献】
【０００９】
【特許文献１】特開２００２−００４５６８号公報
【特許文献２】特開平１１−９１５６６号公報
【特許文献３】特開平５−２４８０９９号公報
【特許文献４】特開平５−２０２６２２号公報
【特許文献５】特願２０１０-２２２８５１号「カーペットタイル剥取り収納装置」明細書
【発明の概要】
【発明が解決しようとする課題】
【００１０】
従って、本発明の目的は、かかる従来からの問題点を解決し、簡単な構成でありながら、作業員が立ち姿のまま作業の大半を行う事が可能で、当該カーペットタイルを破壊することなく、少ない力、少ないエネルギーで当該床面から剥がし取り、疲労が少なく長時間の作業にも耐えられ、剥がし工事を効率的にして作業従事者数を飛躍的に減少させる装置並びにその剥離方法を提供するものである。
【課題を解決するための手段】
【００１１】
本発明は、上記目的を達成する為に、基本的には、以下に示す技術構成を有するカーペットタイル剥がし装置であって、当該力一ペットタイルの剥がし装置は、挺子の支点となる回転可能な回転体と、当該回転体に固定された当該力一ペットタイルの端部を把持する把持部と、当該把持部に取り付けられた挺子の作用を行う操作柄部とから構成される。
【００１２】
より具体的には、本発明に係るカーペットタイル剥がし装置は、例えば、カーペットタイルの一つの角端部と、当該カーペットタイルに於ける当該角端部に対向する位置にある他の角端部とを結ぶ対角線に沿って当該カーペットタイル上を旋回移動する回転体と、当該回転体の周縁部の一部に固定的に配置されており、当該回転体が、当該カーペットタイルの一つの角端部に近接して配置された際に、当該カーペットタイルの当該一つの角端部を把持する様に構成されたカーペットタイル角端部把持部と、当該回転体を当該カーペットタイルの当該対角線に沿って旋回移動させる為の操作柄部とを有している特徴とするカーペットタイル剥がし装置である。
更に、本発明の他の態様としては、カーペットタイルを床材から剥離するに際し、各カーペットタイルの一つの角端部を当該床材から、部分的に剥離させ、当該剥離された当該カーペットタイルの一つの角端部を適宜の把持手段により把持したまま、当該カーペットタイルに於ける当該角端部に対向する位置にある他の角端部とを結ぶ対角線に沿って当該把持手段を移動させる事を特徴とするカーペットタイル剥がし方法である。
【発明の効果】
【００１３】
本発明は、基本的には、上記した技術構成を採用しているので、従来のカーペットタイルを床材から剥離する際の問題点を解消し、カーペットタイルを破壊することなく、少ない力、少ないエネルギーで、且つ、ビルに設備された電源を使用することなく当該床面から剥がし取り、疲労が少なく長時間の作業にも耐えられ、剥がし工事を効率的にして作業従事者数を飛躍的に減少させるカーペットタイル剥がし装置並びにその剥離方法を提供する事が可能となる。
【図面の簡単な説明】
【００１４】
【図１】図１は、本発明に係るカーペットタイル剥がし装置の一具体例の構成を示す側面図である。
【図２】図２は、本発明に係るカーペットタイル剥がし装置の他の具体例の構成を示す側面図である。
【図３】図３は、カーペットタイルを床材から剥離する際の剥離方向を例示する図である。
【図４】図４は、本発明に於けるカーペットタイル剥がし装置を使用してカーペットタイルを剥離させる状態を示す図である。
【発明を実施するための形態】
【００１５】
以下に本発明に係るカーペットタイル剥がし装置及びカーペットタイルの剥がし方法に関する具体例を、図面を参照しながら詳細に説明する。
先ず、本発明に係る当該カーペットタイルをコンクリートやフロアタイル或いはＯＡフロア床材から剥離する事は頻繁に行われてきており、特に当該カーペットタイルとコンクリート下地やＯＡフロア下地との間には、かなり接着強度の高い接着剤が存在しているため、当該カーペットタイルを当該コンクリートやフロアタイル等から剥離させるには相当の力のエネルギーが要求されてきた。
然も、従来のカーペットタイル剥離技術は、図３の矢印Ａ或いは矢印Ｂに示す様に、当該カーペットタイル１の直線状の端縁部２或いは３と直交する方向に、ケレン棒や剥ぎ取り刃体を当該カーペットタイルと当該床材との間に挿入し、その方向に押圧力や、前後動振動を加えて、剥離を促進しようとしていた。
然しながら、当該矢印Ａ或いは矢印Ｂからの剥離操作では、当該カーペットタイルと床材との接触面積、接触長さが大きい為、僅かな押圧力の印加や、ゆるい前後動振動の印加だけでは、簡単に両者の剥離を実現する事は極めて困難であった。
【００１６】
本発明者等は、係る従来の問題点を鋭意検討した結果、当該カーペットタイル１の一つの角端部Ｄ部と当該角端部Ｄに対向する位置にある他の角端部Ｅとを結ぶ対角線４に沿って、図３の矢印Ｃで示される方向に沿って剥離操作を実行することにより、従来に比較して少ない押圧力や剥離エネルギーの下で、容易に且つ効率的に然も経済的に当該カーペットタイルの剥離操作を実現出来る事を確認したものである。
【００１７】
本発明に係る当該カーペットタイル剥がし装置の第１の具体例を図１を参照しながら詳細に説明する。
即ち、図１は、本発明に係るカーペットタイル剥がし装置１００の一具体例を説明する側面図であって、図中、カーペットタイル１２上に周縁部１３が接触し、カーペットタイル１２上を旋回しながら移動する回転体１０と、当該回転体１０の周縁部１３とカーペットタイル１２との接触点２１を梃子の支点として当該回転体１０を旋回移動させる操作柄部３４と、当該回転体１０の周縁部１３に近接して設けられたカーペットタイル１２の角縁部１４を把持する把持部１６とを有するカーペットタイル剥がし装置１００が示されている。
即ち、本発明に係る当該カーペットタイル剥がし装置１００は、梃子の支点２１となる旋回可能な回転体１０と当該回転体１０に固定された当該カーペットタイル１２の角端部１４を把持するつかみ機能を有する把持部１６と好ましくは、当該把持部１６に着脱自在に梃子の作用棒として機能する操作柄部３４とから構成されているものである。
【００１８】
更に、本発明に於ける当該カーペットタイル剥がし装置１００のより具体的な構成の例としては、カーペットタイル１２の一つの角端部１４と、当該カーペットタイル１２に於ける当該角端部１４に対向する位置にある他の角端部１５とを結ぶ対角線４に沿って当該カーペットタイル１２上を旋回移動する回転体１０と、当該回転体１０の周縁部１３の一部に固定的に配置されており、当該回転体１０が、当該カーペットタイル１２の一つの角端部１４に近接して配置された際に、当該カーペットタイル１２の当該一つの角端部１４を把持する様に構成されたカーペットタイル角端部把持部１６と、当該回転体１０を当該カーペットタイル１２の当該対角線４に沿って旋回移動させる為の操作柄部３４とを有している当該装置であっても良い。
更に、本発明に於ける当該カーペットタイル剥がし装置１００に於いては、
当該操作柄部３４は、当該回転体１０を予め定められた距離を旋回移動するに十分な位置に配置されている事が望ましい。
【００１９】
即ち、本発明に於いては、当該カーペットタイルの剥がし操作が、当該カーペットタイル１２の一つの角端部１４の一部を掴んで当該カーペットタイル１２の対角にある他の角端部１５の方向に向けて実行される事から、当該カーペットタイル１２の一辺の長さが５００ｍｍであるから、当該カーペットタイル１２の対角線の長さは、約７１０ｍｍとなるので、当該回転体１０の直径は、少なくとも３５０ｍｍである事が好ましく、場合によっては、その直径４００ｍｍ乃至５００ｍｍであっても良い。
一方、本発明に於いて、当該回転体１０に用いられる材料は特に限定されるものではないが、例えば、鉄製の円筒で、当該円筒の鉄材の板厚は、作業者が直接使用する工具である事から出来るだけ軽量であることが望ましいが、角端部把持部に連結されている当該操作柄部３４の挺子棒に押される圧力に耐えられるものであれば特に限定するものではない。
又、板厚を薄くして強度を維持する為に両端に同材のつばを取り付けて補強する事も好ましく用いられる。
更に、本発明に於ける当該回転体１０の円筒の長さ、つまり当該円筒体１０の幅は１００ｍｍ乃至３００ｍｍが望ましく用いられるが、これに限定されるものではなく、工具である事から出来るだけ小型化が望ましいが、円筒の長さ（幅）が短か過ぎると剥がし作業中に挺子が安定せず回転体１０が倒れる事があり上記の長さが好ましい。
【００２０】
此処で、図１に示す本発明のカーペットタイル剥がし装置１００に付いて更に詳細にその構成を説明するならば、先ず、本発明のカーペットタイル剥がし装置１００に於ける当該角端部把持部１６は、第１の把持部材（外掴み具）１８と第２の把持部材（内掴み具）１７とから構成されており、当該第１の把持部材１８と第２の把持部材１７とは、適宜の軸支部材２４を介して相互に開閉自在に取り付けられている。
【００２１】
一方、当該回転体１０の外周縁部１３の一部に、前記した角端部把持部１６の第１の把持部材（外掴み具）１８から延展されて形成された回転体固定柄２３の一部が適宜の接合手段、例えば、溶接、接着、ネジ止め等の手段を使用して固定的に取り付けられており、他方、当該第２の把持部材（内掴み具）１７から延展されて形成された部分に上記した操作柄３４が形成されている。
係る構成の結果、本具体例に於いては、当該操作柄３４を図１に示す矢印Ｆの方向に移動させると、当該回転体１０が梃子支点２１を中心に旋回して、当該梃子支点２１自身も移動しながら、矢印Ｇの方向に移動すると同時に、当該角端部把持部１６の第２の把持部材（内掴み具）１７が当該第１の把持部材（外掴み具）１８に向けて移動するので、当該角端部把持部１６に於ける当該第１の把持部材１８と当該第２の把持部材１７間の把持力が増強される。
即ち、本発明に於いては、当該操作柄部３４の操作が、当該角端部把持部１６の当該カーペットタイルの角端部把持操作と連動されているのである。
【００２２】
一方、本発明於ける当該カーペットタイル剥がし装置１００に於ける当該角端縁部把持部１６の構成は特に限定されるものではないが、例えば市販のプライヤーレンチ、或いはこれに類似する機構を有する装置、治具等が好ましく用いられる。
又、本発明に使用される当該角端縁部把持部１６は、少なくともその先端がカーペットタイルの角端部を把持する為に、その先端には、第１の把持部材（外掴み具）１８と第２の把持部材（内掴み具）１７とから構成されており、いずれも出来るだけ広い面積でカーペットタイルを把持することが好ましく、特に第２の把持部材（内掴み具）１７はカーペットタイルに角が当たるとカーペットタイルが破損する事があるので、角当たりしないように丸みを持たせることが好ましい。
当該角端縁部把持部１６の取付け位置は、当該回転体１０の円筒の幅方向（長さ方向）の略申央部に床に対して垂直に、且つ当該円筒体１０の接線方向に固定する事が好ましい。
【００２３】
更に、本発明に於ける当該角端縁部把持部１６に於いては、当該角端縁部把持部１６は、上記した様に、第１の把持部材（外掴み具）１８と第２の把持部材（内掴み具）１７とから構成なる一対の開閉自在のクランプ部で構成されており、少なくとも、一方のクランプ部、例えば、第２の把持部材（内掴み具）１７には、カーペットタイルの角端部を把持した際に、当該カーペットタイルの角端部との間の摩擦係数が大きくなる部材が設けられている事が望ましく、その場合、例えば、当該第２の把持部材（内掴み具）１７の端縁部に円形、球形、突起状部等の膨大部４２を設ける事も可能である。
【００２４】
一方、本発明に於いて、当該第２の把持部材（内掴み具）１７に連なる当該操作柄部３４は、本発明の基礎となる挺子作用の作用棒となるので、挺子棒柄とも称している。
本発明に於ける当該カーペットタイルの剥がし工事においては、例えば、ケレン棒で予めカーペットタイル１２の角端部１４を、作業者によって、或いは、適宜のはがし治具等を使用して、僅かにめくりあげた後、当該カーペットタイルの当該角端部１４を、当該第１の把持部材（外掴み具）１８と第２の把持部材（内掴み具）１７とからなる一対のクランプ部でつかんだ後、当該操作柄部３４を図１の矢印Ｆの方向に移動させ、当該回転体１０の方向に倒す事によって、当該力一ペットタイル１２を容易に床材から剥がしとる事が出来る。
【００２５】
本発明に於いて、当該操作柄部３４は、予め当該回転体１０が１枚の当該カーペットタイル１２を引き上げるに十分な長さ移動出来る様に、その柄のながさは設定されているが、万一、当該操作柄部３４を移動可能な最終位置迄移動させた場合でも、未だ当該カーペットタイル１２が完全に剥離されていない場合には、つまり、当該操作柄部３４の端部が当該回転体１０の反対側の床面に届いても、未だ当該力一ペットタイル１２の全部が剥がれていない場合等の状態が発生した場合には、当該操作柄部３４を操作柄部３４と当該操作柄部３４に着脱自在に嵌合するパイプ部３６とで構成させておくと同時に、当該操作柄部３４の近傍部に当該操作柄部３４の突出方向と略直交する方向に延展される補助操作柄部３５を設け、上記事態が発生した場合には、当該操作柄部３４に嵌合されているパイプ部３６を当該操作柄部３４から引き抜き、当該補助操作柄部３５に当該パイプ部３６を差し込んで、上記操作を継続させる事が可能である。
当該パイプ部３６は、当該操作柄部３４の力を増大させる為に用いられるものである。
【００２６】
本発明に於ける当該カーペットタイル剥がし装置１００に於いて、当該角端部把持部１６には、当該カーペットタイル１２と当該床材１１との接合状態を効率的に破壊する為に、少なくとも一方の把持部材、好ましくは、当該カーペットタイルの角端部と床材との間に挿入される第１の把持部材（外掴み具）１８には、当該カーペットタイルと当該床材の間に存在する接着材を破壊する為の接着材破壊手段４０が更に設けられている事が好ましい。
係る接着材破壊手段４０としては、例えば、図１に示す様に、その基端部が、当該第１の把持部材（外掴み具）１８に固定され、かつその先端部は、強固で先鋭な刃物状部を有し、当該第１の把持部材（外掴み具）１８の先端部より外方に突出している構成を有するものであっても良い。
当該接着材破壊手段４０は、好ましくは、当該回転体固定柄２３の下端部近傍に配置されている押圧・振動付与手段４３の連動されているものであり、当該押圧・振動付与手段４３は、作業に際して、作業者が、作業者の脚部で、当該押圧・振動付与手段４３を押圧して、当該第１の把持部材（外掴み具）１８に瞬間的押圧力を与える様に構成されたものであっても良く、或いは、電気的、機械的に、継続的な機械的振動、継続的な超音波振動を当該接着材破壊手段４０に付加する様に構成された機構或いは当該第１の把持部材（外掴み具）１８を加熱する加熱装置等から選択された一つ或いは複数の操作が適用される様に構成されている事も好ましい具体例である。
【００２７】
一方、本発明に係る当該カーペットタイル剥がし装置１００の第２の具体例の構成を図２に示す。
当該第２の具体例に於いては、基本的構成は、図１に示された第１の具体例と同一であるが、当該第１の具体例では、回転体１０として円筒状の部材が使用されているのに対し、当該第２の具体例では、当該円筒状の回転体に替えて、一部に円形の湾曲部が含まれているＪ字状の回転体１０１が使用されるものである。
本発明に於ける当該第２の具体例では、当該Ｊ字状に形成された２本の棒状体１０２が相互に平行に配列され、所定の幅と長さを持つように形成された複数個の幅決め部材１０３によって、一体的に形成されたものである。
【００２８】
一方、当該回転体１０１の当該湾曲部１０７は、当該カーペットタイル１２の対角線４の長さと同等かそれよりも長い長さを持つ様に構成されており、具体的な例としては、当該湾曲部１０７の曲率半径が約３５０ｍｍ若しくはそれ以上の長さに設定されている事が望ましい。
又、当該Ｊ字状の回転体１０１の一方の端部１０５と他方の端部１０６とを直線で結んで形成された線に沿って、当該他方の端部１０６から当該一方の端部１０５を経由して外方に延展されている所定の長さを持った操作柄部３４が設けられている。
更に、当該Ｊ字状の回転体１０１の一方の端部１０５の当該カーペットタイル１２の表面に近接している部分に、図１に示す本発明の第１の具体例と同様の角端部把持装置１６が取り付けられている。
【００２９】
又、当該角端部把持装置１６としては、市販されているプライヤーレンチと同様の構成を有する部材を使用する事も可能であり、図２に示す様に、当該プライヤーレンチ１６の一方のレバー部４４の先端部を第１の把持部材（外掴み具）１８と設定し、一方、当該プライヤーレンチ１６の他方のレバー部４３の先端部を第２の把持部材（内掴み具）１７として使用する事が可能である。
従って、当該第２の具体例では、当該プライヤーレンチ１６の他方のレバー部４３を作業者が操作することによって、当該カーペットタイル１２の角縁部１４を把持固定する事が可能であり、操作終了後は、当該プライヤーレンチ１６の当該他方のレバー部４３を元の位置に戻すことによって、当該剥離したカーペットタイル１２を本発明のカーペットタイル剥がし装置１００から開放させる事が出来る。
尚、当該第２の具体例に於いても、第１の具体例で使用されている当該接着材破壊手段４０を併用出来る事は言うまでも無い。
【００３０】
此処で、本発明に係るカーペットタイル剥がし装置１００の操作方法の具体例を説明するならば、本発明の基本的な操作方法の例としては、図４に示すい様に、カーペットタイル１２を床材１１から剥離するに際し、各カーペットタイル１２の一つの角端部１４を当該床材１１から、部分的に剥離させ、当該剥離された当該カーペットタイル１２の一つの角端部１４を適宜の把持手段１６により把持したまま、当該カーペットタイル１２に於ける当該角端部１４に対向する位置にある他の角端部１５とを結ぶ対角線４に沿って当該把持手段１６を含む回転体１０を移動させる様に操作するものである。
具体的には、先ず、図１に於いて、１０として示されている部材は、梃子の支点２１となる旋回し且つ移動可能な回転体を示す。
一方、角端部把持部１６が、はがそうとするカーペットタイル１２の角端部１４を当該第２の把持部材（内掴み具）１７と当該第１の把持部材（外掴み具）１８とによって把持して、その後、操作柄部３４を当該回転体１０の方向に倒すことによって、当該回転体１０は旋回し、挺子支点２１が、対角線４の方向に沿って移動しながら剥がし中のカーペットタイル１２を剥がしていくのである。
【００３１】
図1中、当該回転体固定柄２３の一部が、その端部にある当該第１の把持部材（外掴み具）１８が、剥がし中のカーペットタイル１２の角端部１４の下面に届く位置に配置される様に、当該回転体１０の円周縁部上に固定される。
一方、図５に示す様に、当該パイプ部３６を含む当該操作柄部３４を当該回転体１０の方向で且つ当該対角線４の方向に向けて倒す事によって、当該第２の把持部材（内掴み具）１７が剥がし中のカーペットタイル１２を把持し、床面１１から剥がし取るのである。
【００３２】
図1中、当該第２の把持部材（内掴み具）１７及び当該第１の把持部材（外掴み具）１８は、当該剥がし中のカーペツトタイル１２の角端部１４のみを把持することになるので、出来るだけ把持する面積を大きくし、角当たりしないよう、特に当該第２の把持部材（内掴み具）１７はその形態に注意する事が、剥がし中のカーペットタイルの破損を避ける為に必要である。
【符号の説明】
【００３３】
１、１２…カーペットタイル
２、３…カーペットタイルの直線状の端縁部
４…対角線
１０…回転体
１１…床下地
１３…回転体の周縁部
１４…カーペットタイルの一方の角端部
１５…カーペットタイルの対向する他方の角端部
１６…角端部把持部、プライヤーレンチ
１７…第２の把持部材（内掴み具）
１８…第１の把持部材（外掴み具）
２１…梃子の支点
２２…固定部
２３…回転体固定柄
２４…軸支部材
３４…操作柄部
３５…補助操作柄部
３６…パイプ部
４０…接着材破壊手段
４２…膨大部
４３…押圧・振動付与手段
１００…カーペットタイル剥がし装置
１０１…Ｊ字状の回転体
１０２…棒状体
１０３…幅決め部材
１０５…一方の端部
１０６…他方の端部
１０７…湾曲部
【図２】
2013068022.tif 000003
【図１】
2013068022.tif 000004
【図３】
2013068022.tif 000005
【図４】
2013068022.tif 000006